(57)【要約】【課題】サービス処理方法、装置、及びサーバを提供する。【解決手段】  該方法は、第一ユーザが第一アカウントに基づいてクライアント装置にログオンした際に、サービス動作を要求する動作要求を第一ユーザから受信するステップと、第一アカウントに従って、保存されているアカウント関連付け関係についてサーチするステップと、第一アカウントと関連付けられた第二ユーザの第二アカウントが見出された場合に、第一ユーザが、第二アカウントの第二アカウント権限を使用してサービス動作を実現することを許容するステップと、第一ユーザが第二アカウントの第二アカウント権限を使用してサービス動作を実現した後に、サービス動作の動作結果に従って第二アカウントの第二アカウント情報を更新するステップと、を含む。第一ユーザは、複数の関連付けられたアカウントのアカウント属性に基づいて様々なサービス動作を実現することができる。【選択図】図２
2019075161.tif 000002
【特許請求の範囲】
【請求項１】
サービス処理サーバに適用されるサービス処理方法であって、
第一ユーザが第一アカウントに基づいてクライアント装置にログオンした際に、サービス動作を要求する動作要求を前記クライアント装置から受信するステップと、
前記動作要求に応じて、前記第一アカウントに従って、保存されているアカウント関連付け関係についてサーチするステップと、
前記第一アカウントと関連付けられた第二ユーザの第二アカウントが前記アカウント関連付け関係から見出された場合に、前記第一ユーザが、前記第二アカウントの第二アカウント権限によって前記サービス動作を実現することを許容するステップと、
前記第一ユーザが前記第二アカウント権限によって前記サービス動作を実現した後に、前記サービス動作の動作結果に従って、前記第二アカウントの第二アカウント情報を更新するステップと、
を具備する方法。
【請求項２】
前記方法は、
前記第二ユーザの認可メッセージを受信するステップであって、前記認可メッセージは前記第一アカウントを含む、ステップと、
前記第一アカウントと前記第二ユーザの前記第二アカウントとの間の関連付け関係を前記認可メッセージに従って前記アカウント関連付け関係内において保存するステップと、
を更に具備する、請求項１に記載の方法。
【請求項３】
前記認可メッセージは、前記第二アカウント権限の使用条件を更に具備しており、且つ、
前記第一ユーザが前記第二アカウントの前記第二アカウント権限によって前記サービス動作を実現することを許容するステップは、具体的には、前記第一ユーザが、前記使用条件の下において、前記第二アカウントの前記第二アカウント権限によって前記サービス動作を実現することを許容するステップである、
請求項２に記載の方法。
【請求項４】
前記第二ユーザの認可メッセージを受信するステップの前に、
推奨アカウントのリストを前記第二ユーザに送信するステップであって、前記推奨アカウントのリストは、前記第二ユーザとの間におけるその親密な関係が、予め設定された関係閾値を上回っている値を有するユーザの少なくとも一つのアカウントを含む、ステップ、
を更に具備し、
前記第一アカウントを含む前記認可メッセージは、具体的には、前記第二ユーザによって前記推奨アカウントのリストから選択された第一アカウントを含む前記認可メッセージである、
請求項２に記載の方法。
【請求項５】
前記方法は、
前記第二ユーザによって送信された認可解放メッセージを受信するステップであって、前記認可解放メッセージは前記第一アカウントを含む、ステップと、
前記認可解放メッセージに従って、前記第一アカウントと前記第二アカウントとの間の前記関連付け関係を前記アカウント関連付け関係から削除するステップと、
を更に具備する、請求項２に記載の方法。
【請求項６】
前記方法は、
前記第一ユーザが前記第一アカウントを登録した際に、前記第一アカウントと第一サービスパスワードとの間の対応性関係を保存するステップ、
を更に具備し、
前記第一ユーザが前記第二アカウントの前記第二アカウント権限によって前記サービス動作を実現することを許容するステップは、
前記第二アカウントを前記第一ユーザのサービス動作インタフェース上において選択可能アカウントとして提示するステップと、
前記第一ユーザが前記サービス動作のために前記第二アカウントを選択した後に、入力されたサービスパスワードを受信するステップと、
前記入力されたサービスパスワードが前記対応性関係内において保存されている前記第一サービスパスワードと一貫性を有することが検証された際に、前記第一ユーザが前記第二アカウント権限によって前記サービス動作を実行することを許すステップと、
を具備する、請求項１に記載の方法。
【請求項７】
前記方法は、
前記第二アカウントの前記第二アカウント情報が更新された後に、前記第二アカウント情報の更新済みのコンテンツについて前記第二ユーザに通知するべく、前記第二ユーザに通知メッセージを送信するステップ、
を更に具備する、請求項１に記載の方法。
【請求項８】
前記方法は、
前記第一ユーザによって送信された前記サービス動作のためのリバース動作要求を受信するステップと、
前記サービス動作のリバース動作が実現された後に、前記リバース動作の動作結果に従って前記第二アカウント情報を更新するステップと、
を更に具備する、請求項１に記載の方法。
【請求項９】
前記第一アカウントと関連付けられた前記第二アカウントが見出された後に、前記方法は、
前記サービス動作に対応したサービスシナリオのセキュリティ属性を判定するステップと、
前記セキュリティ属性がセキュアである際に、前記第一ユーザが、前記第二アカウントの前記第二アカウント権限によって前記サービス動作を実行することを許容するステップを実行し、前記セキュリティ属性がインセキュアである際には、前記第一ユーザが、前記第二アカウントの前記第二アカウント権限によって前記サービス動作を実行することを禁止するステップと、
を更に具備する、請求項１から請求項８までのいずれか一項に記載の方法。
【請求項１０】
サービス処理サーバに適用されるサービス処理装置であって、
第一ユーザが第一アカウントに基づいてクライアント装置にログオンした際に、サービス動作を要求する動作要求を前記クライアント装置から受信するように構成された受信ユニットと、
前記動作要求に応じて、前記第一アカウントに従って、保存されているアカウント関連付け関係についてサーチするように構成されたサーチユニットと、
前記第一アカウントと関連付けられた第二ユーザの第二アカウントが前記アカウント関連付け関係から見出された場合に、前記第一ユーザが、前記第二アカウントの第二アカウント権限によって前記サービス動作を実現することを許容するように構成された制御ユニットと、
前記第一ユーザが前記第二アカウント権限によって前記サービス動作を実現した後に、前記サービス動作の動作結果に従って前記第二アカウントの第二アカウント情報を更新するように構成された更新ユニットと、
を具備する装置。
【請求項１１】
前記受信ユニットは、前記第二ユーザの認可メッセージを受信するように更に構成されており、前記認可メッセージは、前記第一アカウントを含み、且つ、
前記装置は、
前記第一アカウントと前記第二ユーザの前記第二アカウントとの間の関連付け関係を前記認可メッセージに従って前記アカウント関連付け関係内において保存するように構成された第一ストレージユニット、
を更に具備する、請求項１０に記載の装置。
【請求項１２】
前記受信ユニットによって受信される前記認可メッセージは、前記第二アカウント権限の使用条件を更に具備しており、且つ、
前記制御ユニットは、具体的には、前記第一ユーザが、前記使用条件の下において、前記第二アカウントの前記第二アカウント権限によって前記サービス動作を実現することを許容するように構成されている、
請求項１１に記載の装置。
【請求項１３】
前記装置は、
推奨アカウントのリストを前記第二ユーザに送信するように構成された送信ユニットであって、前記推奨アカウントのリストは、前記第二ユーザとの間におけるその親密な関係が、予め設定された関係閾値を上回っている値を有するユーザの少なくとも一つのアカウントを含む、送信ユニット、
を更に具備し、且つ、
前記受信ユニットによって受信される前記認可メッセージは、前記第二ユーザによって前記推奨アカウントのリストから選択された第一アカウントを含む、
請求項１１に記載の装置。
【請求項１４】
前記受信ユニットは、前記第二ユーザによって送信された認可解放メッセージを受信するように更に構成されており、前記認可解放メッセージは、前記第一アカウントを含み、且つ、
前記装置は、
前記認可解放メッセージに従って、前記アカウント関連付け関係から、前記第一アカウントと前記第二アカウントとの間の前記関連付け関係を削除するように構成された削除ユニット、
を更に具備する、請求項１１に記載の装置。
【請求項１５】
前記装置は、
前記第一ユーザが前記第一アカウントを登録した際に、前記第一アカウントと第一サービスパスワードとの間の対応性関係を保存するように構成された第二ストレージユニット、
を更に具備し、且つ、
前記制御ユニットは、
前記第二アカウントを前記第一ユーザのサービス動作インタフェース上において選択可能アカウントとして出力するように構成されたアカウント出力サブユニットと、
前記第一ユーザが前記サービス動作のために前記第二アカウントを選択した後に、入力されたサービスパスワードを受信するように構成されたパスワード受信サブユニットと、
前記入力されたサービスパスワードが前記対応性関係内において保存されている前記第一サービスパスワードと一貫性を有していることが検証された際に、前記第一ユーザが前記第二アカウント権限によって前記サービス動作を実行することを許すように構成された権限解放サブユニットと、
を具備する、請求項１０に記載の装置。
【請求項１６】
前記装置は、
前記第二アカウントの前記第二アカウント情報が更新された後に、前記第二アカウント情報の更新済みのコンテンツについて前記第二ユーザに通知するべく、通知メッセージを前記第二ユーザに送信するように構成された通知ユニット、
を具備する、請求項１０に記載の装置。
【請求項１７】
前記受信ユニットは、前記第一ユーザによって送信された前記サービス動作のリバース動作要求を受信するように更に構成されており、且つ、
前記更新ユニットは、前記サービス動作のリバース動作が実現された後に、前記リバース動作の動作結果に従って前記第二アカウント情報を更新するように更に構成されている、
請求項１０に記載の装置。
【請求項１８】
前記装置は、
前記サービス動作に対応したサービスシナリオのセキュリティ属性を判定するように構成された判定ユニットと、
前記セキュリティ属性がセキュアである際に、前記第一ユーザが前記第二アカウントの前記第二アカウント権限による前記サービス動作の実行を許容することを実行するべく前記制御ユニットをトリガし、前記セキュリティ属性がインセキュアである際には、前記第一ユーザが前記第二アカウントの前記第二アカウント権限によって前記サービス動作を実行することを禁止するように、構成された実行ユニットと、
を更に具備する、請求項１０から請求項１７までのいずれか一項に記載の装置。
【請求項１９】
サーバであって、
プロセッサと、
前記プロセッサの実行可能命令を保存するように構成されたメモリと、
を具備し、
前記プロセッサは、
第一ユーザが第一アカウントに基づいてクライアント装置にログオンした際に、サービス動作を要求する動作要求を前記クライアント装置から受信し、
前記動作要求に応じて、前記第一アカウントに従って、保存されているアカウント関連付け関係についてサーチし、
前記第一アカウントと関連付けられた第二ユーザの第二アカウントが前記アカウント関連付け関係から見出された場合に、前記第一ユーザが、前記第二アカウントの第二アカウント権限によって前記サービス動作を実行することを許容し、且つ、
前記第一ユーザが前記第二アカウント権限によって前記サービス動作を実現した後に、前記サービス動作の動作結果に従って前記第二アカウントの第二アカウント情報を更新する、
するように構成されているサーバ。
【発明の詳細な説明】
【技術分野】
【０００１】
本出願は、通信技術の分野に関し、且つ、更に詳しくは、サービス処理方法、装置、及びサーバに関する。
【背景技術】
【０００２】
スマート端末の開発及びネットワークアプリケーションの流行に伴い、ユーザは、端末にインストールされた様々なアプリケーションクライアントを使用することにより、ソーシャルインスタントメッセージングサービス及び買物支払サービスなどの様々なサービス動作を実装することができる。上述のサービスを実装するには、端末ユーザは、通常、サービスアカウントをサーバにおいて登録すると共に、そのサービスアカウントに基づいて特定のサービス動作を実装する必要がある。
【０００３】
但し、従来技術においては、端末ユーザが様々なサービス動作を実現できるのは、自身の独自のアカウントに基づいた場合のみである。従って、サービスを実装する方法が相対的に単純であり、且つ、サービス情報の相互利用効率（interactive efficiency）が低い。
【発明の概要】
【０００４】
本出願は、サービスを実装する方法が相対的に単純であると共にサービス情報の相互利用効率が低いという従来技術の問題を解決するべく、サービス処理方法、装置、及びサーバを提供する。
【０００５】
本出願の実施形態の第一の態様によれば、サービス処理サーバに適用されるサービス処理方法が提供され、該方法は、
第一ユーザが第一アカウントに基づいてクライアント装置にログオンした際に、サービス動作を要求する動作要求を第一ユーザから受信するステップと、
第一アカウントに従って、保存されているアカウント関連付け関係についてサーチするステップと、
第一アカウントと関連付けられた第二ユーザの第二アカウントが見出された場合に、第一ユーザが第二アカウントの第二アカウント権限によってサービス動作を実現することを許容するステップと、
第一ユーザが第二アカウント権限によってサービス動作を実現した後に、サービス動作の動作結果に従って第二アカウントの第二アカウント情報を更新するステップと、
を含む。
【０００６】
本出願の実施形態の第二の態様によれば、サービス処理サーバに適用されるサービス処理装置が提供され、該装置は、
第一ユーザが第一アカウントに基づいてクライアント装置にログオンした際に、サービス動作を要求する動作要求を第一ユーザから受信するように構成された受信ユニットと、
第一アカウントに従って、保存されているアカウント関連付け関係についてサーチするように構成されたサーチユニットと、
第一アカウントと関連付けられている第二ユーザの第二アカウントが見出された場合に、第一ユーザが第二アカウントの第二アカウント権限によってサービス動作を実現することを許容するように構成された制御ユニットと、
第一ユーザが第二アカウント権限によってサービス動作を実現した後に、サービス動作の動作結果に従って第二アカウントの第二アカウント情報を更新するように構成された更新ユニットと、
を含む。
【０００７】
本出願の実施形態の第三の態様によれば、サーバが提供され、サーバは、
プロセッサと、
プロセッサの実行可能命令を保存するように構成されたメモリと、
を含み、
プロセッサは、
第一ユーザが第一アカウントに基づいてクライアント装置にログオンした際に、サービス動作を要求する動作要求を第一ユーザから受信し、
第一アカウントに従って、保存されているアカウント関連付け関係についてサーチし、
第一アカウントと関連付けられた第二ユーザの第二アカウントが見出された場合に、第一ユーザが第二アカウントの第二アカウント権限によってサービス動作を実現することを許容し、且つ、
第一ユーザが第二アカウント権限によってサービス動作を実現した後に、サービス動作の動作結果に従って第二アカウントの第二アカウント情報を更新する、
ように構成されている。
【０００８】
本出願の実施形態において提供される技術的解決策を使用することにより、第一ユーザが第一アカウントに基づいてログオンした際に、アプリケーションサーバは、第一アカウントと第二アカウントとの間の関連付け関係をアカウント関連付け関係内において見出した場合に、第一ユーザが第二ユーザの第二アカウント権限を使用してサービス動作を実現することを許容し、且つ、サービス動作が実現された後に、第二アカウントの第二アカウント情報を直接的に更新する。本出願の実施形態を使用することにより、第二ユーザは、第一ユーザが複数の関連付けられたアカウントのアカウント権限に基づいて様々なサービス動作を実現することにより、サービスを実装する方法を拡張できるように、第二ユーザと親密な関係を有する第一ユーザが第二ユーザの第二アカウント権限を使用することを認可することができる。更には、サービス動作が実現された後に、第二アカウント情報が直接的に更新されることに伴って、異なるアカウントの間のサービスデータの送信の時間が低減され、これにより、サービス情報の相互利用効率を改善することができる。
【０００９】
上述の概略的な説明及び以下の詳細な説明は、例示及び説明を目的としたものに過ぎず、本出願を限定するものではないことを理解されたい。
【図面の簡単な説明】
【００１０】
本明細書における添付図面は、本明細書に包含されると共に本明細書の一部分を構成し、本出願に合致した実施形態を例示しており、且つ、本明細書と共に本出願の原理を説明するべく使用される。
【００１１】
【図１】図１は、本出願によるサービス処理の一実施形態のアプリケーションシナリオの概略図である。
【図２】図２は、本出願によるサービス処理方法の一実施形態のフローチャートである。
【図３Ａ】図３Ａは、本出願によるサービス処理方法の別の実施形態のフローチャートである。
【図３Ｂ】図３Ｂは、本出願の一実施形態による推奨アカウントのリストの選択インタフェースの概略図である。
【図３Ｃ】図３Ｃは、本出願の一実施形態によるユーザが選択可能アカウントのリストに基づいてサービス動作アカウントを選択する様子を示す概略図である。
【図４】図４は、本出願によるサービス処理方法の別の実施形態のフローチャートである。
【図５】図５は、本出願によるサービス処理装置が配置されるサーバのハードウェア構造図である。
【図６】図６は、本出願によるサービス処理装置の一実施形態のブロックダイアグラムである。
【図７】図７は、本出願によるサービス処理装置の別の実施形態のブロックダイアグラムである。
【図８】図８は、本出願によるサービス処理装置の別の実施形態のブロックダイアグラムである。
【図９】図９は、本出願によるサービス処理装置の別の実施形態のブロックダイアグラムである。
【発明を実施するための形態】
【００１２】
以下、例示用の実施形態について詳述することとするが、これらの実施形態は、添付図面に示されている。以下の説明に添付図面が関与している際には、そうではない旨が示されていない限り、異なる添付図面内の同一の符号は、同一又は類似の要素を表している。以下の例示用の実施形態において記述されている実装形態は、本出願と一貫性を有するすべての実装形態を表すものではない。逆に、これらは、添付の請求項において詳述されている本出願のいくつかの態様と一貫性を有する装置及び方法の例であるに過ぎない。
【００１３】
本出願において使用されている用語は、本出願の限定を目的としたものではなく、特定の実施形態の説明を目的としたものに過ぎない。又、本出願及び添付の請求項において使用されている「一つの（one）」、「前記（said）」、及び「該（その）（the）」という単数形は、文脈においてその他の意味が明瞭に示されていない限り、複数形をも含むものと解釈されたい。又、本明細書において使用されている「及び／又は」という用語は、一つ又は複数の関連する列挙された項目のうちのいずれか又はすべての可能な組合せを参照及び包含していることを理解されたい。
【００１４】
本出願は、様々な種類の情報を記述するべく、第一の、第二の、及び第三の、などの用語を使用している場合があるが、情報は、これらの用語に限定されるものではないことを理解されたい。これらの用語は、同一のタイプの情報を相互に弁別するべく使用されるものに過ぎない。例えば、本出願の範囲を逸脱することなしに、第一情報は、第二情報と呼称されてもよく、且つ、同様に、第二情報は、第一情報と呼称されてもよい。文脈に応じて、本明細書において使用されている「〜である場合に（if）」という用語は、「〜である間に（while）」又は「〜である際に（when）」又は「〜であると判定するのに応答して（in response to determining）」として説明することができる。
【００１５】
図１を参照すれば、これは、本出願によるサービス処理の一実施形態のアプリケーションシナリオの概略図である。
【００１６】
図１に示されているユーザは、ネットワークを介してサーバに接続されている。本出願においては、ユーザは、具体的には、例えば、携帯電話機、タブレットコンピュータ、及びこれらに類似したものなどのネットワーク接続機能を有する様々なクライアント装置を参照している。本出願の実施形態が、パーソナルコンピュータ（ＰＣ）上のアプリケーションを排除してはいないことに疑いの余地はない。第一ユーザは、第一アカウントをサーバにおいて登録し、第二ユーザは、第二アカウントをサーバにおいて登録し、サーバは、ユーザアカウントのリストを使用することにより、登録されたアカウント、サービスパスワード、及びアカウント情報の間における対応性関係を保存し、ユーザは、自身の個々の登録されたアカウントを使用することによってサーバにログオンした後に、自身のアカウントのアカウント権限を使用することにより、様々なサービス動作を実現することが可能であり、且つ、サーバは、サービス動作の完了結果に従ってユーザのアカウント情報を更新する。
【００１７】
本出願の実施形態においては、ユーザの間の親密な関係に基づいて、サービスを実装する方法を拡張することが可能であり、且つ、サービス情報の相互利用効率を改善することができる。図１に示されているように、第一ユーザ及び第二ユーザは、親密な関係を有しており、第一ユーザが第二ユーザの第二アカウントのアカウント権限を使用することを第二ユーザが認可した後に、サーバは、第一アカウントと第二アカウントとの間における関連付け関係を保存する。その後に、第一ユーザは、様々なサービス動作を実現するべく、自身と関連付けられた第二アカウントのアカウント権限を直接的に使用することが可能であり、且つ、サービス動作が実現された後に、サーバは、第二アカウント情報を直ちに更新する。本出願の実施形態については、図１を参照し、詳しく後述する。
【００１８】
図２を参照すれば、これは、本出願によるサービス処理方法の一実施形態のフローチャートである。
【００１９】
ステップ２０１：第一ユーザが第一アカウントに基づいてクライアント装置にログオンした際に、サービス動作を要求する動作要求を第一ユーザから受信している。
【００２０】
本出願の実施形態においては、第一アカウントをサーバにおいて登録した後に、第一ユーザは、様々なサービス動作を実現するべく、第一アカウントに基づいてサーバにログオンすることができる。第一アカウントは、サーバが第一ユーザを一意に識別することができる情報であり、第一ユーザのユーザ名を含んでおり、例えば、第一アカウントは、user1@ABC.com であり、且つ、第二アカウントは、「user2@ABC.com」であり、サービス動作とは、主には、例えば、オンラインの買物に関する支払動作を実現するべくユーザのために第三者支払サーバによって提供される支払機能やネットワークストレージ空間内のマルチメディアファイルに対するダウンロード動作を実現するべくユーザのためにインスタントメッセージングサーバによって提供されるダウンロード機能などのユーザのためにサーバによって提供される様々なアプリケーション機能を意味している。
【００２１】
ステップ２０２：第一アカウントに従って、保存されているアカウント関連付け関係についてサーチしている。
【００２２】
本出願の実施形態においては、ユーザの間の親密な関係に基づいて、いくつかの異なるアカウントの間における関連付け関係がサーバのアカウント関連付け関係のリスト内において予め保存されている。第一ユーザがサービス動作要求をサーバに送信した際に、サーバは、第一ユーザが別のアカウントのアカウント権限を使用してサービス動作を実現できるように、第一アカウントと関連付けられた別のアカウントが存在しているかどうかを判定するべく、第一アカウントに従ってアカウント関連付け関係のリストをサーチすることができる。
【００２３】
ステップ２０３：第一アカウントと関連付けられた第二ユーザの第二アカウントが見出された場合に、第一ユーザが、第二アカウントの第二アカウント権限を使用してサービス動作を実現することを許容している。
【００２４】
本出願の実施形態においては、サーバが、アカウント関連付け関係のリスト内において第一アカウントと関連付けられた第二アカウントを見出した際に、選択可能アカウントのリストを第一ユーザの現時点のサービス動作インタフェース上において出力することができる。又、選択可能アカウントのリストは、第一アカウントを含むことに加えて、第一アカウントと関連付けられた第二アカウントを含んでもよい。第一ユーザが、サービス動作を実現するべく、選択可能アカウントのリストから第二アカウントを選択し、且つ、サービスパスワードを入力した場合に、サーバは、入力されたサービスパスワードが、第一ユーザが第一アカウントを登録した際の第一サービスパスワードと一貫性を有していることを検証した際に、第一ユーザが第二アカウントの第二権限を使用することによってサービス動作を実現することを許す。
【００２５】
ステップ２０４：第一ユーザが第二アカウント権限を使用してサービス動作を実現した後に、サービス動作の動作結果に従って第二アカウントの第二アカウント情報を更新している。
【００２６】
本出願の実施形態においては、第一ユーザが第二アカウント権限を使用してサービス動作を実現するのに伴って、サービス動作が実現された後に、第一アカウントのアカウント情報は、変化することにならず、且つ、サーバは、サービス動作の動作結果に従って第二アカウントの第二アカウント情報を直ちに更新することができる。例えば、第一ユーザが第二アカウントの支払アカウントを使用することによって特定の支払動作を実現した後に、サーバは、支払アカウントの勘定残高を更新する。別の例においては、第一ユーザが第二アカウントのアカウント権限を使用することによって第二アカウントのストレージ空間からマルチメディアファイルをダウンロードした後に、サーバは、第二アカウントのストレージ空間内のマルチメディアファイルのダウンロード記録を更新する。
【００２７】
これに加えて、様々なサービス動作の可能なサービスシナリオと互換性を有する状態において、サービス動作のセキュリティを更に改善すると共にサービス動作の際に関連付けられているアカウントのユーザ情報が悪意を持った第三者によって盗まれないことを保証するべく、上述の実施形態においては、サービス動作の異なるサービスシナリオとセキュリティ属性との間における対応性関係が予め設定されてもよく、サーバが第一アカウントと関連付けられた第二ユーザの第二アカウントを見出した後に、まず、現時点のサービス動作に対応したサービスシナリオのセキュリティ属性を判定することが可能であり、セキュリティ属性がセキュア（secure）である際に、第一ユーザが第二アカウント権限を使用してサービス動作を実行することを許容することが可能であり、且つ、セキュリティ属性がインセキュア（insecure）である際には、第一ユーザが第二アカウント権限を使用してサービス動作を実現することを禁止することができる。この時点においては、第一ユーザがサービス動作を実現できるのは、第一アカウント権限を使用した場合のみである。例えば、支払動作の場合に、そのサービスシナリオが国内商品取引である際には、対応するセキュリティ属性は、セキュアであり、且つ、そのサービスシナリオが海外購買取引である際には、対応するセキュリティ属性は、インセキュアである。
【００２８】
従って、第二ユーザは、第一ユーザが、複数の関連付けられたアカウントのアカウント権限に基づいて様々なサービス動作を実現することにより、サービスを実装する方法を拡張できるように、第二ユーザと親密な関係を有する第一ユーザが第二ユーザの第二アカウント権限を使用することを認可することができることが上述の実施形態から明らかである。更には、サービス動作が実現された後に、第二アカウント情報が直ちに更新されることに伴って、異なるアカウントの間のサービスデータの送信の時間が低減され、これにより、サービス情報の相互利用効率を改善することができる。
【００２９】
図３Ａを参照すれば、これは、本出願によるサービス処理方法の別の実施形態のフローチャートである。この実施形態は、アカウント関連付けの認可及びアカウント関連付けの解放の手順をサービス処理の実装手順との組合せにおいて詳細に示している。
【００３０】
ステップ３０１：サーバは、推奨アカウントのリストを第二ユーザに送信しており、推奨アカウントのリストは、第二ユーザとの間におけるその親密な関係が、予め設定された関係閾値を上回っている値を有するユーザの少なくとも一つのアカウントを含む。
【００３１】
本出願の実施形態においては、それぞれの登録されたユーザごとに、サーバは、ユーザとその他のユーザとの間の親密な関係に従って、ユーザ用の推奨アカウントのリストを提供することが可能であり、推奨アカウントのリストは、ユーザのアカウントと関連付けられるように認可し得るいくつかのアカウントを含む。
【００３２】
サーバは、予め設定されたアルゴリズムに従って、ユーザとその他のユーザとの間の様々な関係インデックスに基づいて、ユーザとその他のユーザとの間の親密な関係の値を算出することが可能であり、且つ、ユーザとの間におけるその親密な関係が、予め設定されている関係閾値を上回っている値を有するユーザの場合に、そのユーザのアカウントが推奨アカウントのリストに追加される。例えば、第二ユーザの友人のリストが複数のユーザを含んでいる場合には、サーバは、第二ユーザと友人のリスト内の異なるユーザとの間におけるインスタントメッセージング時間やインスタントメッセージングメッセージの数などに従って、第二ユーザと異なるユーザとの間の親密な関係の値を算出することができる。
【００３３】
ステップ３０２：第二ユーザは、認可メッセージをサーバに送信しており、認可メッセージは、第二ユーザによって推奨アカウントのリストから選択された第一アカウントと、設定された第二アカウント権限の使用条件と、を含む。
【００３４】
サーバによって送信された推奨アカウントのリストを受信した後に、第二ユーザは、推奨アカウントのリストから、関連付けられるべく認可された一つ又は複数のアカウントを選択することができる。本出願の実施形態においては、第二ユーザは、推奨アカウントのリストから第一アカウントを選択するものと仮定されている。図３Ｂに示されているように、これは、推奨アカウントリストの選択インタフェースの概略図を示しており、この場合に、第二ユーザは、推奨アカウントリストから、関連付けられるべく認可されたアカウントとして、第一アカウント「user1@ABC.com」をクリックしている。
【００３５】
更には、関連付けられるべく認可された第一アカウントを選択した後に、第二ユーザは、第一アカウントが、例えば、支払サービス動作のために、第二アカウント権限を使用することができる使用条件を設定することが可能であり、第二アカウント権限の使用条件は、第二アカウント権限を使用して実現される支払動作の金額の上限であってもよく、別の例として、インスタントメッセージングサービス動作の場合には、第二アカウント権限の使用条件は、第二アカウント権限を使用してマルチメディアファイルをダウンロードするためのダウンロード時間やダウンロードの数などであってもよい。
【００３６】
第二ユーザは、第一アカウントを選択すると共に第二アカウント権限の使用条件を更に設定した後に、サーバに送信される認可メッセージ内において上述の情報を搬送することができる。第二ユーザは、推奨アカウントのリストに基づいて、関連付けられるべく認可されたアカウントを選択しなくてもよく、関連付けられるべく認可することを自身が所望しているアカウントと、アカウントのアカウント権限の使用条件と、を認可メッセージによってサーバに直接送信してもよく、これは、本出願の実施形態においては、制限されていないことに留意されたい。
【００３７】
ステップ３０３：サーバは、第一アカウントと第二アカウントとの間の関連付け関係を認可メッセージに従ってアカウント関連付け関係内において保存している。
【００３８】
本出願の実施形態においては、サーバは、受信された認可メッセージから第一アカウントを取得し、且つ、第一アカウントと第二アカウントとの間の関連付け関係をアカウント関連付け関係内において保存している。認可メッセージが使用条件を更に搬送している際には、サーバは、使用条件を上述の関連付け関係内において更に保存することができる。
【００３９】
サーバが関連付け関係を保存する際には、以下の二つの方式を利用することができる。
【００４０】
第一の方式は、サーバが、アカウント関連付け関係のリストを維持することが可能であり、且つ、以下の表１に示されているように、アカウント間の関連付け関係を保存するべく、リスト内のそれぞれのエントリが使用されるというものである。
【００４１】
【表１】
2019075161.tif 000003
【００４２】
第二の方式は、サーバが、それぞれのアカウントごとに、アカウント関連付け関係を別個に維持することが可能であり、一つの関連付けられたアカウントと別の認可されたアカウントとの間の関連付け関係を保存するべく、リストのそれぞれのエントリが使用されるというものであり、且つ、以下の表２は、第一ユーザ「user1」用に維持されているアカウント関連付け関係のリストを示している。
【００４３】
【表２】
2019075161.tif 000004
【００４４】
ステップ３０４：第一ユーザが第一アカウントに基づいてクライアント装置にログオンした後に、第一ユーザは、サービス動作を要求する動作要求をサーバに送信している。
【００４５】
ステップ３０５：サーバは、第一ユーザの第一アカウントに従ってアカウント関連付け関係についてサーチしている。
【００４６】
本出願の実施形態においては、サーバは、ステップ３０３に記述されているように、アカウント関連付け関係のリストについて問い合わせることが可能であり、且つ、上述の表１との組合せにおいて、サーバは、「user1@ABC.com」に対応した「認可されたアカウント」に含まれている第二アカウント「user2@ABC.com」を取得するべく、第一アカウント「user1@ABC.com」に従って「関連付けられたアカウント」フィールドをサーチすることが可能であり、或いは、この代わりに、上述の表２との組合せにおいて、サーバは、第二アカウント「user2@ABC.com」を含むリストから第一アカウント「user1@ABC.com」のすべての認可されたアカウントを直接的に取得するべく、第一アカウント「user1@ABC.com」に従って user1 用に維持されているアカウント関連付け関係のリストを見出すことができる。
【００４７】
ステップ３０６：サーバは、第一アカウントと関連付けられた第二アカウントを見出した際に、第一ユーザが、第二アカウントの使用条件の下において第二アカウントの第二アカウント権限を使用してサービス動作を実現することを許容している。
【００４８】
サーバがアカウント関連付け関係のリスト内において第一アカウントと関連付けられた第二アカウントを見出した際に、選択可能アカウントのリストを第一ユーザの現時点のサービス動作インタフェース上において出力することができる。又、選択可能アカウントのリストは、第一アカウントを含むことに加えて、第一アカウントと関連付けられた第二アカウントを含んでもよい。
【００４９】
第一ユーザが、サービス動作を実現するべく、選択可能アカウントのリストから第二アカウントを選択すると共に、サービスパスワードを入力した場合に、サーバは、入力されたサービスパスワードが、第一ユーザが第一アカウントを登録した際の第一サービスパスワードと一貫性を有していると検証した際に、第一ユーザが第二アカウントの第二権限を使用することによってサービス動作を実現することを許す。図３Ｃに示されているように、これは、ユーザが選択可能アカウントのリストに基づいてサービス動作アカウントを選択する様子を示す概略図であり、この場合には、第一ユーザは、選択可能アカウントのリストから、サービス動作を実現するためのアカウントとして、第二アカウント「user2@ABC.com」をクリックしている。
【００５０】
第一ユーザは、サービス動作を実現するべく第二アカウントを選択することに加えて、同時にサービス動作を実現するべく、選択可能アカウントのリストから複数のその他のアカウントを選択することも可能であり、且つ、複数のアカウントは、第一ユーザのアカウントを含んでもよく、これは、本出願の実施形態においては、制限されていないことに留意されたい。例えば、支払動作を実行する際に、第一ユーザは、第一アカウントの下における支払アカウント内のお金と第二アカウントの下における支払アカウント内のお金とを一緒に使用して支払動作を実現してもよい。
【００５１】
ステップ３０７：第一ユーザが第二アカウント権限を使用してサービス動作を実現した後に、サーバは、サービス動作の動作結果に従って第二アカウントの第二アカウント情報を更新している。
【００５２】
本出願の実施形態においては、第一ユーザが第二アカウント権限を使用してサービス動作を実現するのに伴って、サービス動作が実現された後に、第一アカウントのアカウント情報は、変化することにならず、且つ、サーバは、サービス動作の動作結果に従って第二アカウントの第二アカウント情報を直ちに更新することができる。
【００５３】
ステップ３０８：第二ユーザは、認可解放メッセージをサーバに送信しており、認可解放メッセージは、第一アカウントを含む。
【００５４】
ステップ３０２との組合せにおいて、第二ユーザが、認可メッセージをサーバに送信することにより、第一ユーザが第二アカウントの第二アカウント権限を使用することを認可したことを知ることができる。同様に、このステップにおいて、第二ユーザは、サーバに認可解放メッセージを送信することにより、第一ユーザが第二アカウントの第二アカウント権限を使用することを禁止してもよい。認可解放メッセージは、関連付けの解放を要する第一ユーザの第一アカウントを搬送している。
【００５５】
ステップ３０９：サーバは、認可解放メッセージに従ってアカウント関連付け関係から第一アカウントと第二アカウントとの間の関連付け関係を削除している。
【００５６】
第二ユーザから認可解放メッセージを受信した後に、サーバは、ステップ３０３において記述されているように、アカウント関連付け関係のリストについて問い合わせることができる。上述の表１との組合せにおいて、サーバは、認可されたアカウントの下において第二アカウント「user2@ABC.com」についてサーチすることが可能であり、且つ、「user2@ABC.com」と、これに対応する第一アカウント「user1@ABC.com」である認可されたアカウントと、を見出した際に、表１から第一アカウントと第二アカウントとの間の関連付け関係を削除することができる。上述の表２との組合せにおいて、サーバは、第一アカウント「user1@ABC.com」に従って user1 用に維持されているアカウント関連付け関係のリスト２を見出すことが可能であり、且つ、リスト２から第二アカウント「user2@ABC.com」を見出した後に、リスト２から第二アカウント「user2@ABC.com」を削除することができる。
【００５７】
上述の実施形態から、第二ユーザは、第一ユーザが、複数の関連付けられたアカウントのアカウント権限に基づいて様々なサービス動作を実現することにより、サービスを実装する方法を拡張できるように、第二ユーザと親密な関係を有する第一ユーザが第二ユーザの第二アカウント権限を使用することを認可することができることがわかる。サービス動作が実現された後に、第二アカウント情報が直ちに更新されることに伴って、異なるアカウントの間のサービスデータの送信の時間が低減され、これにより、サービス情報の相互利用効率を改善することができる。更には、ユーザは、ユーザのアカウント権限を使用して要件に従ってサービス動作を実現することにより、サービスの実装方法を拡張しつつ、認可されたアカウントのセキュリティを保証するべく、別のユーザを柔軟に認可することも可能であり、或いは、この認可を解放することもできる。
【００５８】
図４を参照すれば、これは、本出願によるサービス処理方法の別の実施形態のフローチャートである。この実施形態は、サービス処理の実装手順との組合せにおいて、関連付けられたアカウントのアカウント情報の更新と、サービスリバース動作プロセスと、を詳細に示している。
【００５９】
ステップ４０１：第一ユーザは、第一アカウントをサーバに登録している。
【００６０】
ステップ４０２：サーバは、第一アカウントと第一サービスパスワードとの間の対応性関係をユーザアカウント内において保存している。
【００６１】
ユーザが、サーバによって提供される様々なサービスの使用を所望した際に、ユーザは、まず、サーバにおいて登録する必要がある。この時点において、サーバは、登録インタフェースをユーザに対して提示し、且つ、ユーザは、アカウント名及びサービスパスワードを入力する。本出願の実施形態におけるサービスパスワードは、ユーザのログインパスワードと一貫性を有することも可能であり、且つ、ログオンパスワードとは独立した状態において設定されたサービス動作の実現のために専用のサービスパスワードであってもよく、これは、本出願の実施形態においては、制限されていないことに留意されたい。本出願の実施形態がサービス動作プロセスの説明に合焦していることに伴って、サービス動作に関係付けられたサービスパスワードのみについて記述されているが、ログオンパスワードが登録インタフェースにおいて一緒に設定されてもよく、本出願の実施形態においては、これについての詳しい説明を省略する。
【００６２】
本出願の実施形態においては、サーバは、ユーザが登録した際に、アカウントとサービスパスワードとの間の対応性関係と、それぞれのアカウントのアカウント情報と、をユーザアカウントのリスト内において保存することが可能であり、且つ、以下の表３は、第一ユーザと第二ユーザの登録情報を含むユーザアカウントのリストを示している。
【００６３】
【表３】
2019075161.tif 000005
【００６４】
ステップ４０３：第一ユーザが第一アカウントに基づいてクライアント装置にログオンした際に、第一ユーザは、サービス動作を要求する動作要求をサーバに送信している。
【００６５】
ステップ４０４：サーバは、第一アカウントに従って、保存されているアカウント関連付け関係についてサーチしている。
【００６６】
ステップ４０５：サーバは、第一アカウントと関連付けられた第二アカウントを見出した際に、第二アカウントを選択可能アカウントとして第一ユーザのサービス動作インタフェース上において出力している。
【００６７】
サーバは、アカウント関連付け関係のリスト内において、第一アカウントと関連付けられた第二アカウントを見出した際に、選択可能アカウントリストを第一ユーザの現時点のサービス動作インタフェース上において出力することができる。又、選択可能アカウントのリストは、第一アカウントを含むことに加えて、例えば、本実施形態における第二アカウントなどの第一アカウントと関連付けられたその他のアカウントを含んでもよい。
【００６８】
ステップ４０６：第一ユーザは、サービス動作を実現するべく第二アカウントを選択した後に、入力されたサービスパスワードをサーバに送信している。
【００６９】
ステップ４０７：入力されたパスワードが、アカウント情報内において保存されている第一サービスパスワードと一貫性を有することを検証した際に、第一ユーザが第二アカウント権限を使用してサービス動作を実現することを許している。
【００７０】
このステップにおいて、第一ユーザは、サービス動作を実現するべく第二アカウントを選択する際に、依然として、第一ユーザが登録した際のサービスパスワードを使用することが可能であり、サーバは、表３から第一ユーザのアカウント情報を見出し、且つ、これから、第一アカウント「user1@ABC.com」のサービスパスワードが「user1abcde」であることを取得し、且つ、第一ユーザによって入力されたサービスパスワードが「user1abcde」と同一である場合に、サーバは、第二アカウント権限が第一アカウントのサービス動作を実現することを許す。
【００７１】
ステップ４０８：第一ユーザが第二アカウント権限を使用してサービス動作を実現した後に、サーバは、サービス動作の動作結果に従って第二アカウントの第二アカウント情報を更新している。
【００７２】
本出願の実施形態においては、第一ユーザが第二アカウント権限を使用してサービス動作を実現するのに伴って、サービス動作が実現された後に、第一アカウントのアカウント情報は変化することにならず、且つ、サーバは、サービス動作の動作結果に従って第二アカウントの第二アカウント情報を直ちに更新することができる。
【００７３】
ステップ４０９：サーバは、第二アカウント情報の更新済みのコンテンツについて第二ユーザに通知するべく、通知メッセージを第二ユーザに送信している。
【００７４】
本出願の実施形態においては、サーバによって第二ユーザに送信される通知メッセージは、ユーザが登録した端末装置に送信されるショートメッセージであってもよく、或いは、第二アカウントに送信されるインスタントメッセージングメッセージであってもよい。
【００７５】
ステップ４１０：第一ユーザは、サービス動作用のリバース動作要求をサーバに送信している。
【００７６】
ステップ４１１：サービス動作のリバース動作が実現された後に、サーバは、リバース動作の動作結果に従って第二アカウント情報を更新している。
【００７７】
ステップ４０８において、第一ユーザが、第三者支払サーバにより、第二アカウントの支払アカウントを使用して商品の購入の支払動作を実現した後に、その商品が品質問題を有していたとすると、第一ユーザは、その商品の返品の処理を実施するが、この時点において、第一ユーザは、払い戻し要求を第三者支払サーバに対して送信し、且つ、第三者支払サーバは、差し引かれた商品の代金を第二アカウントの支払アカウントに直接返金し、且つ、払い戻しが終了した後に、支払アカウント内において勘定残高情報を直接更新することになる。
【００７８】
上述の実施形態から、第二ユーザは、第一ユーザが、複数の関連付けられたアカウントのアカウント権限に基づいて様々なサービス動作を実現することにより、サービスを実装する方法を拡張できるように、第二ユーザと親密な関係を有する第一ユーザが第二ユーザの第二アカウント権限を使用することを認可できることがわかる。更には、サービス動作及びリバースサービス動作が実現された後に、第二アカウント情報が直ちに更新されることに伴って、異なるアカウントの間のサービスデータの送信の時間が低減され、これにより、サービス情報の相互利用効率を改善することができる。
【００７９】
上述のサービス処理方法の実施形態に対応した形態において、本出願は、サービス処理装置の一実施形態を更に提供する。
【００８０】
本出願のサービス処理装置の実施形態は、サーバに適用することができる。装置実施形態は、ソフトウェアによって実装されてもよく、或いは、ハードウェアにより、或いは、ソフトウェアとハードウェアとの組合せにより、実装されてもよい。論理装置としてのソフトウェアによる実装形態の場合には、これは、装置が配置されると共にコンピュータプログラム命令を稼働させているサーバのプロセッサにより、不揮発性のメモリ内の対応したプログラム命令をメモリ内に読み取ることにより、形成される。ハードウェアレベルの観点においては、図５に示されているように、これは、本出願によるサービス処理装置が配置されるサーバのハードウェア構造図であり、図５に示されているプロセッサ、メモリ、ネットワークインタフェース、及び不揮発性メモリに加えて、この実施形態における装置が配置されるサーバは、一般に、サーバの実際の機能に従って、その他のハードウェアを含んでもよく、これについては、詳述を省略する。
【００８１】
図６を参照すれば、これは、本出願によるサービス処理装置の一実施形態のブロックダイアグラムである。装置は、受信ユニット６１０と、サーチユニット６２０と、制御ユニット６３０と、更新ユニット６４０と、を含む。
【００８２】
受信ユニット６１０は、第一ユーザが第一アカウントに基づいてクライアント装置にログオンした際に、サービス動作を要求する動作要求を第一ユーザから受信するように構成されている。
【００８３】
サーチユニット６２０は、第一アカウントに従って、保存されているアカウント関連付け関係についてサーチするように構成されている。
【００８４】
制御ユニット６３０は、第一アカウントと関連付けられた第二ユーザの第二アカウントが見出された場合に、第一ユーザが第二アカウントの第二アカウント権限を使用してサービス動作を実現することを許容するように構成されている。
【００８５】
更新ユニット６４０は、第一ユーザが第二アカウント権限を使用してサービス動作を実現した後に、サービス動作の動作結果に従って第二アカウントの第二アカウント情報を更新するように構成されている。
【００８６】
図７を参照すれば、これは、本出願によるサービス処理装置の別の実施形態のブロックダイアグラムである。装置は、送信ユニット７１０と、受信ユニット７２０と、第一ストレージユニット７３０と、サーチユニット７４０と、制御ユニット７５０と、更新ユニット７６０と、削除ユニット７７０と、を含む。
【００８７】
送信ユニット７１０は、推奨アカウントのリストを第二ユーザに送信するように構成されており、推奨アカウントのリストは、第二ユーザとの間におけるその親密な関係が予め設定された関係閾値を上回っている値を有するユーザの少なくとも一つのアカウントを含む。
【００８８】
受信ユニット７２０は、第二ユーザの認可メッセージを受信するように構成されており、認可メッセージは、第二ユーザによって推奨アカウントのリストから選択された第一アカウントを含む。
【００８９】
第一ストレージユニット７３０は、第一アカウントと第二ユーザの第二アカウントとの間の関連付け関係を認可メッセージに従ってアカウント関連付け関係内において保存するように構成されている。
【００９０】
受信ユニット７２０は、第一ユーザが第一アカウントに基づいてクライアント装置にログオンした際に、サービス動作を要求する動作要求を第一ユーザから受信するように更に構成されている。
【００９１】
サーチユニット７４０は、第一アカウントに従って、保存されているアカウント関連付け関係についてサーチするように構成されている。
【００９２】
制御ユニット７５０は、第一アカウントと関連付けられた第二アカウントが見出された場合に、第一ユーザが第二アカウントの第二アカウント権限を使用してサービス動作を実現することを許容するように構成されている。
【００９３】
更新ユニット７６０は、第一ユーザが第二アカウント権限を使用してサービス動作を実現した後に、サービス動作の動作結果に従って第二アカウントの第二アカウント情報を更新するように構成されている。
【００９４】
受信ユニット７２０は、第二ユーザによって送信された認可解放メッセージを受信するように更に構成されており、認可解放メッセージは、第一アカウントを含む。
【００９５】
削除ユニット７７０は、認可解放メッセージに従って、アカウント関連付け関係から第一アカウントと第二アカウントとの間の関連付け関係を削除するように構成されている。
【００９６】
任意選択の一実装方式においては、
受信ユニット７２０によって受信された認可メッセージは、第二アカウント権限の使用条件を更に含んでもよく、且つ、
制御ユニット７５０は、具体的には、第一ユーザが、使用条件の下において、第二アカウントの第二アカウント権限を使用してサービス動作を実現することを許容するように構成されてもよい。
【００９７】
図８を参照すれば、これは、本出願によるサービス処理装置の別の実施形態のブロックダイアグラムである。装置は、第二ストレージユニット８１０と、受信ユニット８２０と、サーチユニット８３０と、制御ユニット８４０と、更新ユニット８５０と、通知ユニット８６０と、を含む。
【００９８】
第二ストレージユニット８１０は、第一ユーザが第一アカウントを登録した際に、第一アカウントと第一サービスパスワードとの間の対応性関係を保存するように構成されている。
【００９９】
受信ユニット８２０は、第一ユーザが第一アカウントに基づいてクライアント装置にログオンした際に、サービス動作を要求する動作要求を第一ユーザから受信するように構成されている。
【０１００】
サーチユニット８３０は、第一アカウントに従って、保存されているアカウント関連付け関係についてサーチするように構成されている。
【０１０１】
制御ユニット８４０は、第一アカウントと関連付けられた第二アカウントが見出された場合に、第一ユーザが第二アカウントの第二アカウント権限を使用してサービス動作を実現することを許容するように構成されている。
【０１０２】
更新ユニット８５０は、サービス動作の動作結果に従って第二アカウントの第二アカウント情報を更新するように構成されている。
【０１０３】
通知ユニット８６０は、第二アカウントの第二アカウント情報が更新された後に、第二アカウント情報の更新済みのコンテンツについて第二ユーザに通知するべく、通知メッセージを第二ユーザに送信するように構成されている。
【０１０４】
任意選択の一実装方式においては、
制御ユニット８４０は、
第一ユーザのサービス動作インタフェース上において、選択可能アカウントとして、第二アカウントを出力するように構成されたアカウント出力サブユニットと、
第一ユーザがサービス動作を実現するべく第二アカウントを選択した後に入力されるサービスパスワードを受信するように構成されたパスワード受信サブユニットと、
入力されたサービスパスワードが、対応性関係内において保存されている第一サービスパスワードと一貫性を有することが検証された際に、第一ユーザが第二アカウント権限を使用してサービス動作を実現することを許すように構成された権限解放サブユニットと、
を含む（図８には、図示されていない）。
【０１０５】
任意選択の別の実装方式においては、
受信ユニット８２０は、第一ユーザによって送信されるサービス動作用のリバース動作要求を受信するように更に構成されてもよく、且つ、
更新ユニット８５０は、サービス動作のリバース動作が実現された後に、リバース動作の動作結果に従って第二アカウント情報を更新するように更に構成されてもよい。
【０１０６】
図９を参照すれば、これは、本出願によるサービス処理装置の別の実施形態のブロックダイアグラムである。装置は、受信ユニット９１０と、サーチユニット９２０と、判定ユニット９３０と、実行ユニット９４０と、制御ユニット９５０と、更新ユニット９６０と、を含む。
【０１０７】
受信ユニット９１０は、第一ユーザが第一アカウントに基づいてクライアント装置にログオンした際に、サービス動作を要求する動作要求を第一ユーザから受信するように構成されている。
【０１０８】
サーチユニット９２０は、第一アカウントに従って、保存されているアカウント関連付け関係についてサーチするように構成されている。
【０１０９】
判定ユニット９３０は、第一アカウントと関連付けられた第二アカウントが見出された場合に、サービス動作に対応したサービスシナリオのセキュリティ属性を判定するように構成されている。
【０１１０】
実行ユニット９４０は、セキュリティ属性がセキュアである際に、対応した機能を実行するべく制御ユニットをトリガし、セキュリティ属性がインセキュアである際には、第一ユーザが第二アカウント権限を使用してサービス動作を実現することを禁止するように、構成されている。
【０１１１】
制御ユニット９５０は、実行ユニットからトリガ命令を受信した後に、第一ユーザが第二アカウントの第二アカウント権限を使用してサービス動作を実現することを許容するように、構成されている。
【０１１２】
更新ユニット９６０は、サービス動作の動作結果に従って第二アカウントの第二アカウント情報を更新するように構成されている。
【０１１３】
装置内のユニットの機能及び効果の実装プロセスについては、上述の方法における対応したステップの実装プロセスを参照可能であり、本明細書においては、その反復を省略する。
【０１１４】
装置実施形態は、基本的に、方法実施形態に対応しており、且つ、従って、関係する内容については、方法実施形態における説明を参照可能である。上述の装置実施形態は、概略的なものに過ぎない。別個の部分として記述されているユニットは、物理的に別個であってもよく、或いは、そうでなくてもよく、且つ、ユニットとして表示されている部分は、物理的なユニットであってもよく、或いは、そうではなくてもよく、一つの位置において配置されてもよく、或いは、複数のネットワークユニット上において分散されてもよい。本出願の解決策の目的を実現するべく、ユニットうちのいくつか又はすべてが、実際のニーズに従って選択されてもよい。当業者は、創造的な努力を払うことなしに、本出願を理解すると共に実装することができる。
【０１１５】
従って、第二ユーザは、第一ユーザが、複数の関連付けられたアカウントのアカウント権限に基づいて様々なサービス動作を実現することにより、サービスを実装する方法を拡張できるように、第二ユーザと親密な関係を有する第一ユーザが第二ユーザの第二アカウント権限を使用することを認可できることが上述の実施形態から明らかである。更には、サービス動作が実現された後に、第二アカウント情報が直接的に更新されることに伴って、異なるアカウントの間のサービスデータの送信の時間が低減され、これにより、サービス情報の相互利用効率を改善することができる。
【０１１６】
本明細書を検討すると共に本明細書において開示されている本発明を実施した後に、当業者は、本出願のその他の実装解決策を容易に想起することができる。本出願は、本出願のすべての変更、使用、又は適応的変形を含むことを意図しており、且つ、これらの変更、使用、又は適応的変形は、本出願の一般的な原理に準拠していると共に、本出願には開示されていない当技術分野における常識又は一般的な技術的意味を含む。本明細書及び実施形態は、例示を目的としたものに過ぎないものと見なされたい。本出願の実際の範囲及び精神は、添付の請求項によって示されている。
【０１１７】
本出願は、上述の且つ添付図面において示されている構造そのままに限定されるものではなく、且つ、その範囲を逸脱することなしに、これらに対して様々な変更及び変形を実施可能であることを理解されたい。本出願の範囲を限定するのは、添付の請求項のみである。
【図１】
2019075161.tif 000006
【図２】
2019075161.tif 000007
【図３Ａ】
2019075161.tif 000008
【図３Ｂ】
2019075161.tif 000009
【図３Ｃ】
2019075161.tif 000010
【図４】
2019075161.tif 000011
【図５】
2019075161.tif 000012
【図６】
2019075161.tif 000013
【図７】
2019075161.tif 000014
【図８】
2019075161.tif 000015
【図９】
2019075161.tif 000016
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
サービス処理方法であって、
第一アカウントと関連するクライアント装置から、サービス動作を要求する動作要求を取得するステップと、
前記動作要求に従って関連付け関係についてサーチするステップと、
前記第一アカウントと関連付けられた第二アカウントを見出したことに応答して、前記クライアント装置を通して前記第二アカウントを提供するステップと、
前記クライアント装置から、前記第二アカウントと関連する入力を取得するステップと、
前記入力に基づいて、前記第一アカウントが、前記第二アカウントの認可を通して前記サービス動作を実行することを許容するステップと、
を具備する方法。
【請求項２】
前記入力は、前記第二アカウントの選択と前記サービス動作に対応するセキュリティ属性とを具備し、
前記第一アカウントが、前記第二アカウントの認可を通して前記サービス動作を実行することを許容する前記ステップは、前記セキュリティ属性を成功裏に認証したことに応答して、前記第一アカウントが、前記第二アカウントの認可を通して前記サービス動作を実行することを許容するステップ、を具備する、
請求項１に記載の方法。
【請求項３】
前記セキュリティ属性を成功裏に認証することに失敗したことに応答して、前記第一アカウントが、前記第二アカウントの認可を通して前記サービス動作を実行することを禁止するステップ、
を更に具備する、請求項２に記載の方法。
【請求項４】
前記セキュリティ属性は、前記第一アカウントのログインパスワードを具備する、
請求項２に記載の方法。
【請求項５】
前記セキュリティ属性は、前記第一アカウントと関連するサービスパスワードを具備する、
請求項２に記載の方法。
【請求項６】
前記第一アカウントの登録を取得するステップと、
前記第一アカウントと前記セキュリティ属性との間の関連付け関係を保存するステップと、
を更に具備する、請求項２に記載の方法。
【請求項７】
前記クライアント装置を通して前記第二アカウントを提供する前記ステップは、前記クライアント装置のサービス動作インタフェース上に選択可能アカウントとして前記第二アカウントを出力するステップ、を具備する、
請求項２に記載の方法。
【請求項８】
前記サービス動作の実行に従って前記第二アカウントの第二アカウント情報を更新するステップ、
を更に具備する、請求項１に記載の方法。
【請求項９】
該更新された第二アカウント情報について前記第二アカウントに通知メッセージを送信するステップ、
を更に具備する、請求項８に記載の方法。
【請求項１０】
前記クライアント装置から前記サービス動作に対するリバース動作要求を受信するステップと、
リバース動作に従って前記第二アカウントの第二アカウント情報を更新するステップと、
を更に具備する、請求項１に記載の方法。
【請求項１１】
サービス処理サーバ上で実現可能なサービス処理装置であって、
第一アカウントと関連するクライアント装置から、サービス動作を要求する動作要求を取得するように構成された受信ユニットと、
前記動作要求に従って関連付け関係についてサーチするように構成されたサーチユニットと、
制御ユニットであって、
前記第一アカウントと関連付けられた第二アカウントを見出したことに応答して、前記クライアント装置を通して前記第二アカウントを提供し、
前記クライアント装置から、前記第二アカウントと関連する入力を取得し、
前記入力に基づいて、前記第一アカウントが、前記第二アカウントの認可を通して前記サービス動作を実行することを許容する、
ように構成された制御ユニットと、
を具備する装置。
【請求項１２】
前記入力は、前記第二アカウントの選択と前記サービス動作に対応するセキュリティ属性とを具備し、
前記第一アカウントが、前記第二アカウントの認可を通して前記サービス動作を実行することを許容するために、前記制御ユニットは、前記セキュリティ属性を成功裏に認証したことに応答して、前記第一アカウントが、前記第二アカウントの認可を通して前記サービス動作を実行することを許容する、ように構成されている、
請求項１１に記載の装置。
【請求項１３】
前記セキュリティ属性を成功裏に認証することに失敗したことに応答して、前記制御ユニットは、前記第一アカウントが、前記第二アカウントの認可を通して前記サービス動作を実行することを禁止する、ように構成されている、
請求項１２に記載の装置。
【請求項１４】
前記セキュリティ属性は、前記第一アカウントのログインパスワードを具備する、
請求項１２に記載の装置。
【請求項１５】
前記セキュリティ属性は、前記第一アカウントと関連するサービスパスワードを具備する、
請求項１２に記載の装置。
【請求項１６】
第二ストレージユニットであって、
前記第一アカウントの登録を取得し、
前記第一アカウントと前記セキュリティ属性との間の関連付け関係を保存する、
ように構成された第二ストレージユニット、
を更に具備する、請求項１２に記載の装置。
【請求項１７】
前記クライアント装置を通して前記第二アカウントを提供するために、前記制御ユニットは、前記クライアント装置のサービス動作インタフェース上に選択可能アカウントとして前記第二アカウントを出力する、ように構成されている、
請求項１２に記載の装置。
【請求項１８】
前記サービス動作の実行に従って前記第二アカウントの第二アカウント情報を更新するように構成された更新ユニット、
を更に具備する、請求項１１に記載の装置。
【請求項１９】
該更新された第二アカウント情報について前記第二アカウントに通知メッセージを送信するように構成された通知ユニット、
を更に具備する、請求項１８に記載の装置。
【請求項２０】
前記受信ユニットは、前記クライアント装置から前記サービス動作に対するリバース動作要求を受信するように更に構成され、
前記更新ユニットは、リバース動作に従って前記第二アカウントの第二アカウント情報を更新するように更に構成されている、
請求項１１に記載の装置。
【請求項２１】
サーバであって、
プロセッサと、
前記プロセッサの実行可能命令を保存するように構成されたメモリと、
を具備し、
前記プロセッサは、
第一アカウントと関連するクライアント装置から、サービス動作を要求する動作要求を取得し、
前記動作要求に従って関連付け関係についてサーチし、
前記第一アカウントと関連付けられた第二アカウントを見出したことに応答して、前記クライアント装置を通して前記第二アカウントを提供し、
前記クライアント装置から、前記第二アカウントと関連する入力を取得し、
前記入力に基づいて、前記第一アカウントが、前記第二アカウントの認可を通して前記サービス動作を実行することを許容する、
ように構成されている、サーバ。